(57)【特許請求の範囲】
【請求項１】
ハンドル部の回転によって戸を開閉するレバー型取っ手に適用されるレバー型取っ手用ロック部材において、
前記ハンドル部の内部に位置し、キーによって回転するキーモジュール；
前記キーモジュールの回転によって回転し、施錠具を用いて前記戸の施錠または解除を行う回転軸；及び
前記キーモジュールの回転を前記回転軸に伝達する回転伝達部；を含み、
前記ハンドル部が折り曲げられて形成され、
前記回転伝達部が前記ハンドル部の内部で前記ハンドル部に対応して折り曲げられて形成されることを特徴とする、レバー型取っ手用ロック部材。
【請求項２】
前記キーモジュールが前記ハンドル部の端部側に位置することを特徴とする、請求項１に記載のレバー型取っ手用ロック部材。
【請求項３】
前記キーの挿入方向が前記ハンドル部の長手方向に平行であることを特徴とする、請求項１に記載のレバー型取っ手用ロック部材。
【請求項４】
前記回転伝達部がフレキシブルシャフト（ｆｌｅｘｉｂｌｅ ｓｈａｆｔ）を含むことを特徴とする、請求項１に記載のレバー型取っ手用ロック部材。
【請求項５】
前記回転伝達部の前記回転軸側の端部には前記回転軸がかかる係止部が形成されることを特徴とする、請求項１に記載のレバー型取っ手用ロック部材。
【請求項６】
前記回転軸の回転によって、前記施錠具が突出または沒入するか、あるいは前記施錠具が前記レバー型取っ手の回転を防止するようにすることを特徴とする、請求項１に記載のレバー型取っ手用ロック部材。
【請求項７】
前記キーモジュールは、外部に露出された面に鍵穴、小銭穴、及び把持部のいずれか一つが形成されることを特徴とする、請求項１に記載のレバー型取っ手用ロック部材。
【請求項８】
前記回転伝達部と前記キーモジュールとの間に位置し、前記回転伝達部が固定される固定部をさらに含み、
前記固定部の内面に凹凸を持つ穴が形成され、前記穴に前記回転伝達部が固定されることを特徴とする、請求項１に記載のレバー型取っ手用ロック部材。
【請求項９】
前記キーモジュールに、前記固定部が挿合される収容部が形成されることを特徴とする、請求項８に記載のレバー型取っ手用ロック部材。
【請求項１０】
前記レバー型取っ手用ロック部材が開き戸または引き戸に適用されることを特徴とする、請求項１に記載のレバー型取っ手用ロック部材。
【請求項１１】
前記キーモジュールが円柱形を持つことを特徴とする、請求項１に記載のレバー型取っ手用ロック部材。
【発明の詳細な説明】
【技術分野】
【０００１】
本発明はレバー型取っ手及びレバー型取っ手用ロック部材に関する。
【背景技術】
【０００２】
近年、室内インテリアーなどに対する関心が高まるにつれて取っ手の形状も多様に変化している。この中でもレバー型取っ手は使用が便利で外観が優秀であり、部屋の戸、窓、玄関などの多様な戸に広く使われている。
【０００３】
このようなレバー型取っ手には、一般的に戸を開閉することができる基本的な機能とともに、レバー型取っ手の回転を防止するとかデッドボルト（Ｄｅａｄ Ｂｏｌｔ）などの施錠具を用いて戸のロック状態を維持するようにする機能とが付け加えられる。このために、別途の鍵などが挿入可能な穴などをレバー型取っ手の周辺またはレバー型取っ手の前面に形成する。
【０００４】
ところが、このように鍵を挿入する穴をレバー型取っ手の周辺または前面に形成すれば、レバー型取っ手の施工のための組立て及び加工の範囲が広くなり、外観が悪くなることができる。そして、戸の用途に応じて鍵を採択するとか形態を変更しようとするとき、レバー型取っ手の全体を入れ替えるとかレバー型取っ手の全体を解体して鍵挿入部を入れ替えた後に再組立しなければならない不便さがある。また、戸を開閉することができる基本的な機能と鍵の採択有無及び形態によって取っ手の形態が違うため、統一された外観を使うことができない制約が生ずる。
【先行技術文献】
【特許文献】
【０００５】
【特許文献１】国際公報第２００４−１０４３３１号
【特許文献２】韓国特許公開第２０−１９９５−００１９１０４号
【特許文献３】欧州特許第０５０８０１８号
【特許文献４】米国特許第０４９２１２８９号
【特許文献５】米国特許公開第２００３−００１９２５７号
【発明の概要】
【発明が解決しようとする課題】
【０００６】
本発明は構造が簡単で多様な用途に使用可能なレバー型取っ手及びレバー型取っ手用ロック部材を提供しようとする。
【課題を解決するための手段】
【０００７】
本実施例によるレバー型取っ手用ロック部材は、ハンドル部の回転によって戸を開閉するレバー型取っ手に適用されるレバー型取っ手用ロック部材であって、前記ハンドル部の内部に位置し、キーによって回転するキーモジュール；前記キーモジュールの回転によって回転し、施錠具を用いて前記戸の施錠または解除を行う回転軸；及び前記キーモジュールの回転を前記回転軸に伝達する回転伝達部を含む。
【０００８】
前記キーモジュールが前記ハンドル部の端部側に位置することができる。
【０００９】
前記キーの挿入方向が前記ハンドル部の長手方向に平行であることができる。
【００１０】
前記回転伝達部がフレキシブルシャフト（ｆｌｅｘｉｂｌｅ ｓｈａｆｔ）を含むことができる。
【００１１】
前記ハンドル部が折り曲げられて形成され、前記回転伝達部が前記ハンドル部の内部で前記ハンドル部に対応して折り曲げられることができる。
【００１２】
前記回転伝達部の前記回転軸側の端部には、前記回転軸がかかる係止部が形成されることができる。
【００１３】
前記回転軸の回転によって、前記施錠具が突出または沒入するか、あるいは前記施錠具が前記レバー型取っ手の回転を防止するようにすることができる。
【００１４】
前記キーモジュールは、外部に露出された面に鍵穴、小銭穴、及び把持部のいずれか一つが形成されることができる。
【００１５】
前記回転伝達部と前記キーモジュールとの間に位置し、前記回転伝達部が固定される固定部をさらに含むことができる。前記固定部に凹凸を持つ穴が形成されることができ、前記回転伝達部が前記穴に固定されることができる。
【００１６】
前記キーモジュールに前記固定部が挿合される収容部が形成されることができる。
【００１７】
前記レバー型取っ手用ロック部材が開き戸または引き戸に適用されることができる。
【００１８】
前記キーモジュールが円柱形を持つことができる。
【００１９】
本実施例によるレバー型取っ手は、戸の外部に位置し、前記戸に隣接して設置されるハウジング部及び回転可能に連結されるハンドル部を含む取っ手部；及び前記ハンドル部の操作によって戸が開閉するようにするロック部材を含む。前記ロック部材は、前記ハンドル部の内部に位置し、キーによって回転するキーモジュール；前記キーモジュールの回転によって回転し、施錠具を用いて前記戸の施錠または解除を行う回転軸；及び前記キーモジュールの回転運動を前記回転軸に伝達する回転伝達部を含む。
【００２０】
前記キーモジュールが前記ハンドル部の端部側に位置することができる。
【００２１】
前記キーの挿入方向が前記ハンドル部の長手方向に平行であることができる。
【００２２】
前記回転伝達部がフレキシブルシャフト（ｆｌｅｘｉｂｌｅ ｓｈａｆｔ）を含むことができる。
【００２３】
前記ハンドル部が折り曲げられて形成され、前記回転伝達部が前記ハンドル部の内部で前記ハンドル部に対応して折り曲げられることができる。
【発明の効果】
【００２４】
本実施例によれば、キーモジュールをハンドル部の内部に設置することにより、キーモジュールを設置するために窓や戸に別途のホールなどを形成しなくても良い。このようにキーモジュールが外部に露出さらなくて正面からキーモジュールが見えないので、美観的に優れた特性を持つことができる。そして、キーモジュールがハンドル部の端部に位置するので、使用者が鍵などのキーで易しくキーモジュールを操作することができるようにする。
【００２５】
そして、ロック部材をキーモジュール、回転伝達部及び回転軸に単純化して個別部品の数を減らして製造コストを減らすことができる。また、ロック部材の組立て及び解体を簡便に行うことができるようにする。
【００２６】
また、キーモジュールの形態を統一化して、鍵穴を持つキーモジュール、小銭穴を持つキーモジュール、把持部を持つキーモジュールなどを多様に選択して使うことができる。また、キーモジュールが必要ではない場合には、キーモジュールの代わりに仕上げモジュールを使うこともできる。すなわち、使用者の趣向、戸の位置及び用途によってキーモジュール及び／または仕上げモジュールを多様に適用することができ、使用者の選択自由度を高めて生産者の生産性を向上することができる。
【００２７】
さらに、引き戸、開き戸などの種々の戸に自由に適用することができる。
【図面の簡単な説明】
【００２８】
【図１】本発明の第１実施例によるレバー型取っ手用ロック部材が適用されたレバー型取っ手の斜視図である。
【図２】図１のレバー型取っ手のロック部材の構造の一例を説明するためのケース部内部の概略図である。
【図３】本発明の第１実施例によるレバー型取っ手用ロック部材を示す斜視図である。
【図４】本発明の第１実施例によるレバー型取っ手用ロック部材においてキーモジュールの多様な変形例を示す斜視図である。
【図５】本発明の第２実施例によるレバー型取っ手用ロック部材を含むレバー型取っ手を示す斜視図である。
【図６】本発明の第３実施例によるレバー型取っ手用ロック部材を含むレバー型取っ手が適用された戸を示す斜視図である。
【図７】本発明の第４実施例によるレバー型取っ手用ロック部材が適用されたレバー型取っ手の斜視図である。
【図８】本発明の第５実施例によるレバー型取っ手用ロック部材が適用されたレバー型取っ手の斜視図である。
【発明を実施するための形態】
【００２９】
以下、本発明の実施例によるレバー型取っ手用ロック部材及びこれを含むレバー型取っ手を詳細に説明する。
【００３０】
図１は本発明の第１実施例によるレバー型取っ手用ロック部材が適用されたレバー型取っ手の斜視図、図２は図１のレバー型取っ手のロック部材の構造の一例を説明するためのケース部内部の概略図である。
【００３１】
図１及び図２を参照すれば、本実施例によるレバー型取っ手用ロック部材が適用されたレバー型取っ手１００は、使用者の操作が加わる戸（図示せず、以下同一）の両側に位置する取っ手部１１０、１２０と、取っ手部１１０、１２０の間に位置するケース部１３０とを含む。取っ手部１１０、１２０とケース部１３０の内部には、使用者が取っ手部１１０、１２０を操作することによって戸が開閉するようにするロック部材２０、４０が位置する。
【００３２】
取っ手部１１０、１２０は、ボルトなどの固定部材（図示せず）によって戸に隣接して設置されるハウジング部１１４、１２４と、回転可能に結合されるハンドル部１１２、１２２とを含む。
【００３３】
ケース部１３０は戸の内部に設置される。ケース部１３０の内部には掛け金具２、施錠具４などが位置し、これらの突出または沒入によって戸が開閉することができる。一例として、掛け金具２としてはラッチボルト（Ｌａｔｃｈ Ｂｏｌｔ）などを使うことができ、施錠具４としてはデッドボルトなどのように戸の外部に突出する施錠具またはハンドル部１１２、１２２の回転を防止する施錠具を使うことができる。本実施例においては、掛け金具２としてラッチボルトを使い、施錠具４としてデッドボルトを使う。
【００３４】
本実施例においては、ロック部材２０、４０として、ハンドル部１１２、１２２の回転によって掛け金具２を突出または沒入させる掛け金具ロック部材２０と、ハンドル部１１２、１２２の端部に設置されたキーモジュール４１の操作によって施錠具４を突出または沒入させる施錠具ロック部材４０とを使う。
【００３５】
より具体的に、掛け金具ロック部材２０は、ハンドル部１１２、１２２の回転によって掛け金具２を突出または沒入させる。
【００３６】
正常状態で、掛け金具２はケース部１３０の掛け金具貫通部２２０を通過するように突出して門柱（図示せず）の収容穴（図示せず）に掛けられる。これにより、戸が風や弱振動などによって勝手に開けられることを防止することができる。
【００３７】
使用者がハンドル部１１２、１２２を回転させれば、ハンドル部１１２、１２２に連結されたカム２１の角運動によって、カム２１に連結された連結レバー２２が掛け金具スライダー２３を作動させ、掛け金具スライダー２３の一側に形成された傾斜型カム部２４に接触している掛け金具ガイドピン２５が傾斜型カム部２４の作動によって移動する。すると、掛け金具２がケース部１３０の内部に沒入され、この状態で戸を開閉することができる。
【００３８】
本実施例においては、掛け金具ロック部材２０がキャップ２１、連結レバー２２、掛け金具スライダー２３、傾斜型カム部２４、掛け金具ガイドピン２５などを用いて掛け金具２を駆動することを一例として提示したが、本発明がこれに限定されるものではない。したがって、公知の多様な構造によって掛け金具２を駆動することも可能であり、これも本発明の範囲に属するものである。
【００３９】
そして、施錠具ロック部材４０は、ハンドル部１１２、１２２の端部に設置されたキーモジュール４１によって施錠具４を突出または沒入させる。
【００４０】
より具体的に、キーモジュール４１の回転運動が回転伝達部４２を介して回転軸４３に伝達されれば、回転軸４３に連結された連結レバー４５が施錠具スライダー４７を移動させる。このような施錠具スライダー４７の移動によって施錠具４がケース１３０の施錠具貫通部４２０を通過して突出するとかケース部１３０の内部に沒入される。施錠具４が施錠具貫通部４２０を通過して突出した状態では、施錠具４によって戸が施錠された状態を維持するようになる。
【００４１】
本実施例においては、ロック部材ロック部材４０が連結レバー４５、施錠具スライダー４７などを用いて施錠具４を駆動するものを一例として提示したが、本発明がこれに限定されるものではない。よって、公知の多様な構造によって施錠具４を駆動することも可能であり、これも本発明の範囲に属する。すなわち、本発明においては、キーモジュール４１、回転伝達部４２及び回転軸４３を備えると足り、回転軸４３によって施錠具４を移動させる構成は他の多様な構造を適用することができる。
【００４２】
図１及び図３に基づき、本実施例によるキーモジュール４１、回転伝達部４２及び回転軸４３などを含む施錠具ロック部材４０をより詳細に説明する。図３は本発明の第１実施例によるレバー型取っ手用ロック部材を示す斜視図、図４は本発明の第１実施例によるレバー型取っ手用ロック部材においてキーモジュールの多様な変形例を示す斜視図である。
【００４３】
同図を参照すれば、本実施例によるレバー型取っ手用ロック部材である施錠具ロック部材４０は、キーモジュール４１、回転伝達部４３及び回転軸４３を含むことができる。そして、キーモジュール４１と回転伝達部４２との間には、これらの結合のために固定部４９がさらに設けられることができる。
【００４４】
本実施例において、キーモジュール４１はハンドル部（図１の参照符号１１２及び１２２、以下同一）の内部に回転可能に設置される。より具体的に、ハンドル部１１２、１２２は中空型のもので、端部が開放した構造を持ち、このハンドル部１１２、１２２の開放端部側にキーモジュール４１が位置する。キーモジュール４１はハンドル部１１２、１２２の内部形状に対応して形成されることができ、一例として円柱形を持つことができる。
【００４５】
このようなキーモジュール４１は反復動作によっても損傷しない強度を持ち、生産性を向上させることができる多様な物質からなることができる。一例として、金属、プラスチックなどからなることができる。
【００４６】
キーモジュール４１においてハンドル部１１２、１２２の開放端部を通じて露出される外面には、キーモジュール４１を回転させる鍵４１６を入れることができるように鍵穴４１０が形成される。本実施例において、キーモジュール４１を回転させるキーとして鍵４１６を使うものを例示したが、本明細書においてキーという用語はキーモジュール４１を回転させることができるあらゆる構造、構成または方式を指称するものである。
【００４７】
したがって、図４の（ａ）のように、キーモジュール４１ａの外面に小銭穴４１０ａが形成され、この小銭穴４１０ａに小銭４１６ａを入れてキーモジュール４１ａを回転させることができる。または、図４の（ｂ）のように、キーモジュール４１ｂの外面両側に把持部４１０ｂが形成され、この把持部４１０ｂに指を入れてキーモジュール４１ｂを回転させることもできる。図４の（ｂ）には、把持部４１０ｂが指を入れてキーモジュール４１ｂを回転させることができる凹状に形成されたものを示したが、反対に突設された突起状に形成されることもできる。
【００４８】
また、レバー型取っ手において、施錠具４による施錠機能が必要ではない場合には、図４の（ｃ）のように、キーモジュール４１の代わりに外面が平たい仕上げモジュール４１ｃを使うこともできる。
【００４９】
本実施例において、キーモジュール４１ｂがハンドル部１１２、１２２の端部に位置するので、鍵４１６などのキーの挿入方向はハンドル部１１２、１２２の長手方向に平行になることができる。すなわち、ハンドル部１１２、１２２の長手方向とキーの挿入方向が交差する従来技術とは違いがある。
【００５０】
そして、キーモジュール４１の外面の反対面である内面には収容部４１２が形成されることができる。このような収容部４１２に固定部４９が嵌合され、この固定部４９に回転伝達部４２が固定されることができる。すると、キーモジュール４１と回転伝達部４２が堅固に固定されてキーモジュール４１の回転を回転軸４３に効果的に伝達することができる。
【００５１】
一例として、固定部４９がスプライン（ｓｐｌｉｎｅ）であることができる。図面に示すように、固定部４９には凹凸を持つ穴が形成されることで、回転伝達部４２の外周面をより一層堅固に固定することもできる。しかし、本発明がこれに限定されるものではなく、回転伝達部４２の外周面を堅固に固定することができる多様な形状の固定部４９を使うことができる。または、固定部４９を使わず、キーモジュール４１に回転伝達部４２を直接固定することもできる。
【００５２】
回転伝達部４２は、キーモジュール４１の回転を回転軸４３にそのまま伝達することができる多様な構成が適用できる。このような回転伝達部４２としては、軸方向を変えることがように形成されたフレキシブルシャフト（ｆｌｅｘｉｂｌｅ ｓｈａｆｔ）などを使うことができる。一例として、フレキシブルシャフトは細いワイヤなどをコイル状またはスプリング状に多数回取り巻くことで形成されるので、軸方向を変えることができる。したがって、キーモジュール４１の回転を回転軸４３にそのまま伝達することができ、ハンドル部１１２、１２２内に易しく設置できる。
【００５３】
そして、回転伝達部４２の回転軸４３に隣接した端部に係止部４２ａが形成され、この係止部４２ａに回転軸４３がかかるようにすることができる。すると、回転伝達部４２と回転軸４３がより堅固に固定されることができる。
【００５４】
レバー型取っ手においては、ハンドル部１１２、１２２が折り曲げられて形成されるので、この内部に位置する回転伝達部４２もハンドル部１１２、１２２に対応して折り曲げられることができる。
【００５５】
回転軸４３は多様な材質及び多様な形状の回転軸を使うことができる。よって、本発明の回転軸４３の材質及び形状が限定されるものではない。
【００５６】
このような施錠具ロック部材４０においては、使用者がキーモジュール４１に鍵４１６などを入れてキーモジュール４１を回転させれば、回転伝達部４２を介して回転軸４３が回転され、これによって施錠具４を移動させることができるようにする。
【００５７】
本実施例においては、キーモジュール４１をハンドル部１１２、１２２の内部に設置したので、キーモジュール４１を設置するために窓や戸に別途のホールなどを形成しなくても良い。このように、キーモジュール４１が外部に露出されなくて正面からキーモジュール４１が見えないので、美観的に優れた特性を持つことができる。そして、キーモジュール４１がハンドル部１１２、１２２の端部に位置するので、使用者が鍵４１６などを用いて易しくキーモジュール４１を操作することができるようにする。
【００５８】
そして、施錠具ロック部材４０をキーモジュール４１、回転伝達部４２及び回転軸４３から単純化することで、個別部品の点数を減らして製造コストを減らすことができる。また、施錠具ロック部材４０の組立て及び解体を簡便にすることができるようにする。
【００５９】
また、キーモジュール４１、４１ａ、４１ｂの形態を、鍵穴４１０を持つキーモジュール４１、小銭穴４１０ａを持つキーモジュール４１ａ、把持部４１０ｂを持つキーモジュール４１ｂなどに多様に選択して使うことができる。また、キーモジュール４１、４１ａ、４１ｂが不要な場合には、キーモジュール４１、４１ａ、４１ｂの代わりに仕上げモジュール４１ｃを使うこともできる。すなわち、使用者の趣向、戸の位置及び用途によってモジュール４１、４１ａ、４１ｂ及び／または仕上げモジュール４１ｃを多様に適用することができ、使用者の選択自由度を高め、生産者の生産性を向上することができる。
【００６０】
以下、本発明の他の実施例によるレバー型取っ手用ロック部材及び／またはこれを含むレバー型取っ手をより詳細に説明する。前述した実施例と同一ないし類似の部分については詳細な説明を省略し、互いに違う部分についてだけ詳細に説明する。
【００６１】
図５は本発明の第２実施例によるレバー型取っ手用ロック部材を含むレバー型取っ手を示す斜視図である。
【００６２】
図５を参照すれば、本実施例によるレバー型取っ手用ロック部材を含むレバー型取っ手１０２は窓などの引き戸２０に適用できる。すなわち、前述した第１実施例においては、開き戸に適用されるもの示して説明したが、本実施例においては、レバー型取っ手用ロック部材を引き戸２０に適用する。この際、引き戸２０の両方にそれぞれ取っ手部１１０ａが位置することもでき、引き戸２０の一方にだけ取っ手部１１０ａが位置することもできる。
【００６３】
本実施例においては、キーモジュール４１によって回転軸４３が回転すれば、引き戸２０の内部に位置する施錠具４ａが引き戸２０の外部に突出して施錠状態を維持するとかあるいは引き戸２０の内部に沒入して施錠状態を解除することができる。回転軸４３が回転する場合、引き戸２０の施錠具４ａが突出または沒入するようにする構造として既存に知られた多様な構造を適用することができるので、これについての詳細な説明は省略する。
【００６４】
図面には鍵４１６を使うキーモジュール４０を用いたものを例示したが、本発明がこれに限定されるものではない。よって、キーモジュール４０として、図４に示すような小銭穴４１０ａを持つキーモジュール４０ａ、把持部４１０ｂを持つキーモジュール４０ｂ、または仕上げモジュール４０ｃなどを適用することができるのは言うまでもない。
【００６５】
図６は本発明の第３実施例によるレバー型取っ手用ロック部材を含むレバー型取っ手が適用された戸を示す斜視図である。
【００６６】
図６を参照すれば、本実施例によるレバー型取っ手１０４は施錠具が戸の外部に突出するものではなく、ハンドル部１１２、１２２の回転を防止するようにする。すなわち、レバー型取っ手用ロック部材のキーモジュール４０を回転させて回転軸４３を回転させれば、回転軸４３の回転によって施錠具（図示せず）がハンドル部１１２、１２２の回転を防止する位置に移動する。すると、ハンドル部１１２、１２２の回転ができなくなり、これによって掛け金具２をケース部１０３内に沒入させることができなく、これによって戸を施錠状態で維持することができる。
【００６７】
回転軸４３の回転によってハンドル部１１２、１２２の回転を防止する構造は既存に知られた多様な構造を適用することができるので、これについての詳細な説明は省略する。
【００６８】
図７は本発明の第４実施例によるレバー型取っ手用ロック部材が適用されたレバー型取っ手の斜視図である。
【００６９】
図７を参照すれば、本実施例によるロック部材１０６は、キーモジュール４１の一部がハンドル部１１２、１２２の内部に位置し、キーモジュール４１の他部がハンドル部１１２、１２２の外部に露出されたた形態を持つ。これにより、キーモジュール４１において鍵などのキーが挿入される部分を外部に露出させて使用者が易しくキーモジュール４１にキーを挿入することができるようにする。この際、キーモジュール４１はハンドル部１１２、１２２に対応する形状を持つので、キーモジュール４１の一部が露出されても外観を悪くしない。
【００７０】
図８は本発明の第５実施例によるレバー型取っ手用ロック部材が適用されたレバー型取っ手の斜視図である。
【００７１】
前述した図７の実施例においては、キーモジュール４１が全体的に一様な直径を持つものを例示したが、本発明がこれに限定されるものではない。よって、図８に示すように、ロック部材１０８のキーモジュール４１においてハンドル部１１２、１２２の内部に位置する部分よりハンドル部１１２、１２２の外部に位置する部分の直径を大きくすることにより、ハンドル部１１２、１２２の外部に露出された部分とハンドル部１１２、１２２の外部が同一面になるように形成できる。すると、外観に優れ、段差部による不便さを防止することができる。
【００７２】
前述したように、本発明のレバー型取っ手用ロック部材が、戸の外部に突出する施錠具４、４ａの移動を制御することで戸の施錠状態を維持または解除することができる。または、本発明のレバー型取っ手用ロック部材が、ハンドル部１１２、１２２の回転を防止する位置に施錠具を移動させることで、掛け金具２の移動を制御して戸の施錠状態を維持するとか解除することができる。
【００７３】
前述したような特徴、構造、効果などは本発明の少なくとも一実施例に含まれ、必ずしも一実施例にだけ限定されるものではない。なお、各実施例に例示された特徴、構造、効果などは実施例が属する分野の通常の知識を持った者によって他の実施例にも組合せまたは変形して実施することができる。したがって、このような組合せ及び変形に関連した内容は本発明の範囲に含まれるものに解釈しなければならない。
【図１】
0005786177.tif 000002
【図２】
0005786177.tif 000003
【図３】
0005786177.tif 000004
【図４】
0005786177.tif 000005
【図５】
0005786177.tif 000006
【図６】
0005786177.tif 000007
【図７】
0005786177.tif 000008
【図８】
0005786177.tif 000009